【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
タッチ・センサ上で２本指ジェスチャを実行するための方法であって、
１）前記タッチ・センサ上の各実際の指について偽の位置および真の位置を提供するゴースト効果の影響を受けるタッチ・センサを設けるステップと、
２）前記タッチ・センサ上のそれぞれの指についての前記偽の位置および前記真の位置を区別するために、ゴースト除去動作を実行するステップであって、該ゴースト除去動作が、
ａ．前記タッチ・センサの第１のエッジから短い開口測定を実行するステップと、
ｂ．前記指の真の位置を、前記短い開口測定から最も強度の強い信号として選択するステップと
を含む、ステップと、
３）前記タッチ・センサ上の各指について前記真の位置を用いて２本指ジェスチャを実行するステップと
を含む、方法。
【請求項２】
請求項１記載の方法であって、更に、
第１の電極軸であって、第２の電極軸とは直交するものの同一面にある第１の電極軸を有する接触センサを設けるステップを含み、
前記電極軸の各々が、複数の平行電極を備え、１つの軸が駆動電極として機能すると共に、他の１つの軸が検知電極として機能し、これらの機能が交換可能である、方法。
【請求項３】
請求項１記載の方法において、前記方法が更に、
１）前記タッチ・センサの第１エッジから、短い開口測定および長い開口測定を実行するステップと、
２）前記指の真の位置を、前記短い開口測定および前記長い開口測定から最も強度の強い信号として選択するステップと
を含む、方法。
【請求項４】
請求項１記載の方法であって、更に、
前記タッチ・センサの第１エッジから入来する各信号について統合された電流の曲線を計算するステップと、
高さが最も高い湾曲部を有する曲線を最も強度の強い信号として選択するステップと
を含む、方法。
【請求項５】
請求項１記載の方法であって、更に、
フリック、ピンチおよび回転からなる２本指ジェスチャの群から前記２本指ジェスチャを選択するステップを含む、方法。
【請求項６】
請求項５記載の方法であって、更に、
加重平均および加重絶対偏差を計算することによって前記２本指ジェスチャを実行するステップを含み、前記加重平均が以下の数式、
【数１】
2014525610.tif 000001
（ここで、（ｉ）は電極の番号である。）
によって計算され、また、前記加重絶対偏差が、以下の数式、
【数２】
2014525610.tif 000002
（ここで、（ｉ）は電極の番号である。）
によって計算される、方法。
【請求項７】
請求項６記載の方法であって、更に、
フリック・ジャスチャを実行するステップであって、以下の数式、
ＦｌｉｃｋＸ ＝ＭａｘＸ ＊ （Ｗ（Ａｖｇ）（Ｍ２Ｘ） − Ｗ（Ａｖｇ）（Ｍ１Ｘ））
ＦｌｉｃｋＹ ＝ＭａｘＹ ＊ （Ｗ（Ａｖｇ）（Ｍ２Ｙ） − Ｗ（Ａｖｇ）（Ｍ１Ｙ））
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。
【請求項８】
請求項６記載の方法であって、更に、
ピンチ・ジェスチャを実行するステップであって、以下の数式、
ＰｉｎｃｈＸ ＝ＭａｘＸ ＊ ＷＡＤ（Ｍ１Ｘ）
ＰｉｎｃｈＹ ＝ＭａｘＹ ＊ ＷＡＤ（Ｍ１Ｙ）
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。
【請求項９】
請求項６記載の方法であって、更に、
回転ジェスチャを実行するステップであって、以下の数式、
Ｒｏｔａｔｅ ＝ＩｎｖｅｒｓｅＴａｎｇｅｎｔ（ＳｌｏｐｅＰＮ ＊ ＷＡＤ（Ｍ１Ｙ） ／ＷＡＤ（Ｍ１Ｘ）
ここで、Ｗ（Ａｖｇ）（Ｍ３Ｘ） ＜ Ｗ（Ａｖｇ）（Ｍ１Ｘ）の場合は、ＳｌｏｐｅＰＮ ＝ ＋１、そうではない場合は、他の全ての結果に対して、ＳｌｏｐｅＰＮ ＝ −１
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットであり、Ｍ３ＸおよびＭ３Ｙが後続の短い開口測定値である、方法。
【請求項１０】
請求項６記載の方法であって、更に、
各指について位置決定を実行するステップであって、以下の数式、
ＰｏｓｉｔｉｏｎＸ ＝ＭａｘＸ ＊ Ｗ（Ａｖｇ）（Ｍ１Ｘ）
ＰｏｓｉｔｉｏｎＹ ＝ＭａｘＹ ＊ Ｗ（Ａｖｇ）（Ｍ１Ｙ）
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。
【請求項１１】
ゴースト効果を有する場合における、タッチ・センサ上で少なくとも２つのオブジェクトの位置を決定するための方法であって、
１）前記タッチ・センサ上の各実際の指について偽の位置および真の位置を提供する前記ゴースト効果の影響を受けるタッチ・センサを設けるステップと、
２）前記タッチ・センサの第１のエッジから短い開口測定を実行するステップと、
３）前記指の真の位置を、前記短い開口測定から最も強度の強い信号として選択するステップと
を含む、方法。
【請求項１２】
請求項１１記載の方法であって、更に、前記タッチ・センサ上の各指について前記真の位置を用いて２本指ジェスチャを実行するステップを含む、方法。
【請求項１３】
請求項１２記載の方法であって、更に、
第１の電極軸であって、第２の電極軸とは直交するものの同一面にある第１の電極軸を有する接触センサを設けるステップを含み、
前記電極軸の各々が、複数の平行電極を備え、１つの軸が駆動電極として機能すると共に、他の１つの軸が検知電極として機能し、これらの機能が交換可能である、方法。
【請求項１４】
請求項１２記載の方法であって、更に、
１）前記タッチ・センサの第１エッジから、短い開口測定および長い開口測定を実行するステップと、
２）前記指の真の位置を、前記短い開口測定および前記長い開口測定から最も強度の強い信号として選択するステップと
を含む、方法。
【請求項１５】
請求項１２記載の方法であって、更に、
前記タッチ・センサの第１エッジから入来する各信号について統合された電流の曲線を計算するステップと、
高さが最も高い湾曲部を有する曲線を最も強度の強い信号として選択するステップと
を含む、方法。
【請求項１６】
請求項１２記載の方法であって、更に、
フリック、ピンチおよび回転からなる２本指ジェスチャの群から前記２本指ジェスチャを選択するステップを含む、方法。
【請求項１７】
請求項１６記載の方法であって、更に、
加重平均および加重絶対偏差を計算することによって前記２本指ジェスチャを実行するステップを含み、前記加重平均が以下の数式、
【数３】
2014525610.tif 000003
（ここで、（ｉ）は電極の番号である。）
によって計算され、また、前記加重絶対偏差が、以下の数式、
【数４】
2014525610.tif 000004
（ここで、（ｉ）は電極の番号である。）
によって計算される、方法。
【請求項１８】
請求項１７記載の方法であって、更に、
フリック・ジャスチャを実行するステップであって、以下の数式、
ＦｌｉｃｋＸ ＝ＭａｘＸ ＊ （Ｗ（Ａｖｇ）（Ｍ２Ｘ） − Ｗ（Ａｖｇ）（Ｍ１Ｘ））
ＦｌｉｃｋＹ ＝ＭａｘＹ ＊ （Ｗ（Ａｖｇ）（Ｍ２Ｙ） − Ｗ（Ａｖｇ）（Ｍ１Ｙ））
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。
【請求項１９】
請求項１７記載の方法において、前記方法が更に、
ピンチ・ジェスチャを実行するステップであって、以下の数式、
ＰｉｎｃｈＸ ＝ＭａｘＸ ＊ ＷＡＤ（Ｍ１Ｘ）
ＰｉｎｃｈＹ ＝ＭａｘＹ ＊ ＷＡＤ（Ｍ１Ｙ）
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。
【請求項２０】
請求項１７記載の方法において、前記方法が更に、
回転ジェスチャを実行するステップであって、以下の数式、
Ｒｏｔａｔｅ ＝ＩｎｖｅｒｓｅＴａｎｇｅｎｔ（ＳｌｏｐｅＰＮ ＊ ＷＡＤ（Ｍ１Ｙ） ／ＷＡＤ（Ｍ１Ｘ）
ここで、Ｗ（Ａｖｇ）（Ｍ３Ｘ） ＜ Ｗ（Ａｖｇ）（Ｍ１Ｘ）の場合は、ＳｌｏｐｅＰＮ ＝ ＋１、そうではない場合は、他の全ての結果に対して、ＳｌｏｐｅＰＮ ＝ −１
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットであり、Ｍ３ＸおよびＭ３Ｙが後続の短い開口測定値である、方法。
【請求項２１】
請求項１７記載の方法において、前記方法が更に、
各指について位置決定を実行するステップであって、以下の数式、
ＰｏｓｉｔｉｏｎＸ ＝ＭａｘＸ ＊ Ｗ（Ａｖｇ）（Ｍ１Ｘ）
ＰｏｓｉｔｉｏｎＹ ＝ＭａｘＹ ＊ Ｗ（Ａｖｇ）（Ｍ１Ｙ）
を用いるステップを含み、
Ｍ１ＸおよびＭ２Ｘが２つの連続するＸ軸測定値のセットであり、Ｍ１ＹおよびＭ２Ｙが２つの連続するＹ軸測定値のセットである、方法。